(57)【要約】【課題】複数の椅子を安全に収納することができる椅子の収納装置を提供する。【解決手段】一対の机１０の天板１１を一対の側板とし、机１０の脚１３の先端１３Ａを相対する机１０の天板１１の裏面１１Ａに対向させて各脚１２，１３を一対の端板として、上端部を開口する椅子の収納箱１００を形成し、この収納箱１００の内側の下部に机１０の脚１２，１３同士を連結する連結板１４を横並びに位置させて、一対の連結板１４を跨ぐように椅子２０を収納し、かつ複数の椅子２０を上下に積み重ねて収納する。【選択図】図８
2014014582.tif 000002
【特許請求の範囲】
【請求項１】
一対の机の天板を一対の側板とし、前記机の脚の先端を相対する机の前記天板の裏面に対向させて前記各脚を一対の端板として、上端部を開口する椅子の収納箱を形成し、この収納箱の内側の下部に前記机の脚同士を連結する連結板を横並びに位置させて、一対の連結板を跨ぐように椅子を収納し、かつ複数の椅子を上下に積み重ねて収納する、ことを特徴とする椅子の収納装置。
【請求項２】
前記各机が前記天板の両端部に板状の脚を有する同一形状を備え、前記板状の脚同士が重なり合って前記収納箱の前記端板が形成されていることを特徴とする請求項１に記載の椅子の収納装置。
【請求項３】
前記机の一方の脚と前記連結板との間に段差部を設け、前記机の他方の脚に、前記机の脚の先端を相対する机の前記天板の裏面に対向させた際に前記段差部に係合するスリットを設けたことを特徴とする請求項１または２に記載の椅子の収納装置。
【請求項４】
一方の前記机の天板を壁面に対向させて配置し、前記机を前記壁面に取り付けられた固定バンドで前記壁面に固定し、前記固定バンドの先端部に、前記固定バンドを前記机の脚の内側に着脱自在に固定する固定部材と、前記先端部の変形を抑える硬質部材と、を設けたことを特徴とする請求項１から３のいずれかに記載の椅子の収納装置。
【発明の詳細な説明】
【技術分野】
【０００１】
本発明は、椅子を収納する収納装置に関する。
【背景技術】
【０００２】
従来、限られたスペースに効率良く複数の椅子を収納するために、上下方向に複数スタッキングして収納する、あるいは、前後方向（水平方向）に複数スタッキングして収納することができるように構成されている椅子が知られている（例えば、特許文献１参照）。保育園や幼稚園では、床面積を広くとるために、椅子や机などの備品を収容する収納スペースを設けていないことが多い。そのため、椅子や机を片付ける必要があるときには、保育室の片隅に複数の椅子や机をスタッキングして置くのが一般的である。
【先行技術文献】
【特許文献】
【０００３】
【特許文献１】特開２０１１−１３６１０１号公報
【発明の概要】
【発明が解決しようとする課題】
【０００４】
しかしながら、複数スタッキングされた椅子は、地震等の振動により倒れる可能性があった。また、つかまり立ちを始めた乳児がスタッキングされた椅子につかまった場合には、スタッキングされた椅子が倒れてしまう危険性があった。
本発明は、上述した従来の技術が有する課題を解消し、複数の椅子を安全に収納することができる椅子の収納装置を提供することを目的とする。
【課題を解決するための手段】
【０００５】
上記目的を達成するために、本発明は、一対の机の天板を一対の側板とし、前記机の脚の先端を相対する机の前記天板の裏面に対向させて前記各脚を一対の端板として、上端部を開口する椅子の収納箱を形成し、この収納箱の内側の下部に前記机の脚同士を連結する連結板を横並びに位置させて、一対の連結板を跨ぐように椅子を収納し、かつ複数の椅子を上下に積み重ねて収納する、ことを特徴とする。
【０００６】
また、上記の収納装置であって、前記各机が前記天板の両端部に板状の脚を有する同一形状を備え、前記板状の脚同士が重なり合って前記収納箱の前記端板が形成されていることを特徴とする。
【０００７】
また、上記の収納装置であって、前記机の一方の脚と前記連結板との間に段差部を設け、前記机の他方の脚に、前記机の脚の先端を相対する机の前記天板の裏面に対向させた際に前記段差部に係合するスリットを設けたことを特徴とする。
【０００８】
また、上記の収納装置であって、一方の前記机の天板を壁面に対向させて配置し、前記机を前記壁面に取り付けられた固定バンドで前記壁面に固定し、前記固定バンドの先端部に、前記固定バンドを前記机の脚の内側に着脱自在に固定する固定部材と、前記先端部の変形を抑える硬質部材と、を設けたことを特徴とする。
【発明の効果】
【０００９】
本発明によれば、一対の机を用いて収納箱を形成し、この机の中に椅子を収納するとともに、椅子で机同士を連結させることができ、複数の椅子を重ねて安全に収納することができる。
【図面の簡単な説明】
【００１０】
【図１】本発明を適用した実施形態に係る収納装置の構成を示す斜視図である。
【図２】収納装置を構成する椅子と机を示す斜視図である。
【図３】机の構成を示す斜視図である。
【図４】机の分解斜視図であり、（Ａ）は天板に足を固定する状態を示す図、（Ｂ）は脚を連結板で連結する状態を示す図である。
【図５】机の固定方法を示す図である。
【図６】収納装置の組み立て手順を示す図である。
【図７】収納装置の組み立て手順を示す図である。
【図８】収納装置の平面図である。
【図９】収納装置の断面図である。
【図１０】固定具の構成を示す斜視図である。
【発明を実施するための形態】
【００１１】
以下、図面を参照して本発明の実施形態について説明する。
図１は、本発明を適用した実施形態に係る収納装置１の構成を示す図である。収納装置１は、図１に示すように、１対の机１０と、複数の椅子２０とから構成されている。収納装置１は、保育園や幼稚園で乳幼児用の椅子２０を安全に収納するために好適に用いることができる。収納装置１は、一対の机１０を組み合わせて上端部が開口する収納箱１００を形成し、この収納箱１００の内側に、複数の椅子２０を、上下方向に積み重ねるとともに水平方向に並べて収容可能とするものである。収納装置１は、詳細については後述するが、壁面Ｗに予め固定されている固定具２の固定バンド３により壁面Ｗに固定可能な構成である。
【００１２】
図２は、机１０、及び、椅子２０の使用時の構成を示す図である。各机１０は、天板１１の長さＬ１方向の両端部に板状の脚１２，１３を有する同一形状に形成されている。机１０の幅Ｗ１方向の両端部は開口し、この開口に対向するように、机１０の両側にそれぞれ３脚の椅子が配置される。机１０の長さＬ１、及び、椅子２０の横幅Ｗ２は、机１０の長さＬ１内に３脚の椅子２０を並べて配置することができる寸法に設定されている。このように、各机１０には、園児が６人ずつ着席できるように構成され、収納装置１は、２台の机１０と、１２脚の椅子２０と、から構成されている。
【００１３】
図３は、机１０を斜め下方から視た図である。机１０は、詳細については後述するが、天板１１の裏面１１Ａに設けられた固定部１５Ａ，１５Ｂに脚１２，１３をだぼ接ぎにより連結して形成される。天板１１は、脚１２，１３の上端面に載置され、天板１１の表面１１Ｆと、脚１２，１３の外側の面とが連続する面となるように互いに固定されて、机１０を形成している。天板１１の両端部は、天板１１の表面１１Ｆから脚１２，１３の外側の面に略連続する円弧状に加工されている。
【００１４】
また、机１０の内側、つまり、天板１１及び脚１２，１３で囲まれた空間内には、脚１２，１３同士を連結する連結板１４が設けられる。連結板１４は、天板１１及び脚１２，１３に垂直に配置される。連結板１４の上端１４Ｂと、天板１１の裏面１１Ａとの間には、隙間寸法Ｇ２の間隙３５が設けられている。また、連結板１４は、一方の脚１２に、連結板固定部１７により固定される。連結板固定部１７は、連結板１４を一方の脚１２から間隙Ｇ１離れた位置に固定し、連結板１４と一方の脚１２との間には、連結板１４に対して段差を有する段差部１８が形成される。連結板１４は、天板１１の幅Ｗ１方向の中心よりも、机１０の下端部１１Ｅ側に寄せて設けられる。なお、机１０の下端部１１Ｅとは、一対の机１０を組み合わせて収納箱１００を形成した際に、床面Ｆに対向する端部である。また、連結板１４は、高さＨ２が、机１０の高さＨ１の半分よりも低く形成されている。詳述すると、連結板１４の高さＨ２は、連結板１４の下端１４Ａが机１０の高さ方向の中心位置に配置されるとともに、上端１４Ｂと天板１１の裏面１１Ａとの間に隙間寸法Ｇ２の間隙３５が形成される高さに形成されている。
【００１５】
他方の脚１３には、先端１３Ａに連通し、机１０の高さ方向に延びるスリット１９が形成されている。スリット１９は、脚１２に固定された連結板固定部１７に対応する位置に形成されている。また、スリット１９のスリット幅Ｗ５は、連結板固定部１７の板厚Ｔ１よりも若干広く形成されている。また、スリット１９の高さＨ３は、机１０の高さＨ１の半分から固定部１５Ａ，１５Ｂの高さＨ４を差し引いた高さに形成される。
【００１６】
脚１２，１３の先端１２Ａ，１３Ａには、例えばフェルト素材から形成された干渉部材１２Ｂ，１３Ｂが取り付けられている。干渉部材１２Ｂ，１３Ｂは、机１０の幅Ｗ１方向に亘って、連続してもうけられている構成であっても良いし、或いは、互いに間隔を開けて複数設けられている構成であっても良い。
また、天板１１の裏面１１Ａには、机１０を持ち上げる際に取っ手となる凹部１１Ｂが複数設けられている。また、机１０には、収納箱１００を形成する際に、床面Ｆと接する下端面の複数箇所に、床面Ｆに傷がつくのを防止するための干渉部材９が取り付けられている構成であっても良い。
【００１７】
図４は、机１０の組み立て工程を示す分解斜視図であり、図４（Ａ）は天板１１と脚１２，１３とを固定する際の机１０の状態を示す図、図４（Ｂ）は脚１２，１３を連結板１４で連結する際の机１０の状態を示す図である。
図４（Ａ）に示すように、天板１１の裏面１１Ａには、天板１１の両端から脚１２，１３の板厚Ｔ２離れた位置に固定部１５Ａ，１５Ｂが固定されている。固定部１５Ａ，１５Ｂは、例えば、天板１１の裏面１１Ａに接着により固定されている構成とすることができる。固定部１５Ａ，１５Ｂには、脚１２，１３に対向する面にだぼ穴６が複数形成されている。
【００１８】
一対の机１０を組み合わせて収納箱１００を形成する際に、対向する机１０の脚１３の先端１３Ａが当接する固定部１５Ａの幅Ｗ３は、固定部１５Ｂの幅Ｗ４よりも幅広に形成されている。
脚１２，１３の内側の面には、だぼ穴６に対応する位置に、だぼ５が取り付けられている。だぼ５と、だぼ穴６とは、だぼ５をだぼ穴６に挿入可能に形成される。脚１２，１３は、だぼ５を、天板１１の固定部１５Ａ，１５Ｂに設けられただぼ穴６に挿入することで、天板１１と連結される。
【００１９】
また、脚１２の内側の面には、脚１２を天板１１に連結した際に、固定部１５Ａ間に配置される支持部１６が設けられている。また、脚１２の内側の面には、支持部１６と同じ板幅、同じ板厚の板材から形成され、天板１１に平行に設けられた連結板固定部１７が支持部１６の下端部に略垂直に連結されて設けられている。なお支持部１６は、詳細については後述するが、連結板１４に椅子２０を載置し連結板固定部１７に荷重がかけられた際に、連結板固定部１７を支持する補強部材としての機能を有する。
【００２０】
図４（Ｂ）に示すように、連結板固定部１７には、だぼ７が、机１０の上端方向に突出させて設けられている。図示は省略するが、脚１３の内側の面には、連結板固定部１７と机１０の幅Ｗ１方向の同じ位置に、だぼ７を備えた第２の連結板固定部１７Ｂが設けられている。連結板１４には、連結板固定部１７及び第２の連結板固定部１７Ｂ（図６参照）のだぼ７に対応する位置にだぼ穴８が形成されている。連結板１４は、だぼ７を、だぼ穴８に挿入して椅子１２，１３に連結される。また、連結板１４には、だぼ穴８と並べて、ねじ３１を挿入するねじ孔８Ｂが設けられる。連結板固定部１７、及び、第２の連結板固定部１７Ｂの、ねじ孔８Ｂに対応する位置には、だぼ７が設けられておらず、連結板１４は、ねじ孔８Ｂに挿入したねじ３１により、連結板固定部１７、及び、第２の連結板固定部１７Ｂにねじ止めされる。
【００２１】
連結板１４をねじ３１により連結板固定部１７、及び、第２の連結板固定部１７Ｂに固定することで、天板１１と脚１２，１３とを連結するだぼ５とだぼ穴６との間に水平力が加わえられる。これにより、だぼ５とだぼ穴６との間を接着剤により接着する等して固定することなく、天板１１と脚１２，１３とを連結することができる。この構成によれば、だぼ５をだぼ穴６に挿入し、天板１１と脚１２，１３とを仮止めして、脚１２，１３に連結板１４をねじ３１で固定することで、天板１１、脚１２，１３、及び、連結板１４を連結させることができる。よって、机１０の組み立て作業性を向上することができる。
【００２２】
連結板１４は、一端１４Ｃが連結板固定部１７により、一方の脚１２から間隙Ｇ３離れた位置に固定される。これにより、一方の脚１２と、連結板１４の一端１４Ｃとの間には、上述した段差部１８が形成される。また、連結板１４の他端１４Ｄは、他方の脚１３の内側の面に近接させて、第２の連結板固定部１７Ｂにより、他方の脚１３に連結される（図６参照）。なお、第２の連結板固定部１７Ｂは、図６に示すように、他方の脚１３に設けられたスリット１９に近接させて、一列にそろえ並べて設けられる。
【００２３】
次に、収納装置１を組み立てる工程、及び、収納装置１を壁面Ｗに固定する際の工程について、図５〜図９を用いて説明する。
図５に示すように、まず、一対の机１０のどちらか一方を、天板１１の表面１１Ｆが壁面Ｗに対向し、且つ、壁面Ｗの所定位置に対して表面１１Ｆを押し当てるように、配置する。なお、壁面Ｗの所定位置とは、収納装置１を壁面Ｗに固定するために、予め固定具２が取り付けられている位置である。この時、机１０は、天板１１の裏面１１Ａに設けられた凹部１１Ｂに手をかけて壁面Ｗに立てかけられることで、天板１１の下端部１１Ｅが床面Ｆに対向するように構成されている。この構成によれば、収納装置１を組み立てる際に、机１０の方向を考えることなく、直観的に机１０を正しい方向に立ち上げることができる。
【００２４】
次に、机１０を、固定具２の固定バンド３により壁面Ｗに固定する。脚１２，１３の内側の面には、床面Ｆからの高さが、固定具２の床面Ｆからの高さと略同じ位置にフック／ループ式の一方の面ファスナー３２が取り付けられている。また、固定バンド３は、先端部４が、脚１２，１３の内側に折り曲げ可能な長さに形成されている。固定バンド３は、脚１２，１３の内側に折り曲げられる先端部４に、脚１２，１３に取り付けられた面ファスナー３２に対応する他方の面ファスナー（固定部材）３３を備えている。また、先端部４には、先端部４の長さに亘って、容易に折り曲げることのできない硬い材料、例えば、金属から形成された硬質プレート（硬質部材）３４が取り付けられている。固定バンド３は、例えば、袋状に形成され、硬質プレート３４は、この袋状の固定バンド３の先端部４に内蔵されている構成であっても良い。
【００２５】
ところで、固定具２は、図１０に示したように、壁面Ｗの任意の位置、かつ、床面Ｆから所定高さの位置に取り付けられる。固定バンド３は、先端部４に設けられた面ファスナー３３により、固定具２に脱着可能に構成されていても良い。また、固定バンド３は、先端部４に設けた金属製の硬質プレート３４を、固定具２に設けられた磁石（不図示）にくっつくように構成し、固定具２に脱着可能な構成としても良い。
また、固定バンド３の長さは、机１０の脚１２，１３の内側の面に先端部４を折り曲げられる程度の長さに形成されているため、固定具２の両端から延びる固定バンド３は、互いに届かない構成とすることができる。この構成によれば、固定具２の両端から延びる固定バンド３同士が連結されてループ状に壁面Ｗからぶら下がるのを防止することができ、安全性を向上することができる。
【００２６】
机１０を、固定具２の固定バンド３により壁面Ｗに固定した後、続いて、図６に示すように、他方の机１０を、天板１１の裏面１１Ａ同士が対向するように、壁面Ｗに固定された一方の机１０に対して向き合わせる。そして、他方の机１０の脚１３を、相対する一方の机１０の天板１１の裏面１１Ａに対向させ、一方の机１０の脚１３を、相対する他方の机１０の天板１１の裏面１１Ａに対向させするようにして、一対の机１０を組み合わせる。これにより、一対の机１０の連結板１４は、横並びに配置される。
【００２７】
一対の机１０を組み合わせる際、他方の机１０の脚１３に形成されたスリット１９は、一方の机１０の段差部１８に係合し、一方の机１０の脚１３に形成されたスリット１９は、他方の机１０の段差部１８に係合する。この構成によれば、スリット１９の高さＨ３は、机１０の高さＨ１の略半分の高さに形成されているため、壁面Ｗから一台の机１０の高さＨ１の範囲内に、一対の机１０を収納することができる。また、この構成によれば、一対の机１０のスリット１９が、段差部１８に各々係合されるため、一対の机１０が組み合わされた状態で、机１０が横方向、つまり、机１０の長さＬ１方向へ移動してずれが生じるのを防ぐことができる。
【００２８】
一対の机１０を上述したように組み合わせることにより、図７に示すように、一対の机１０の天板１１を一対の側板とし、一対の机１０の各脚１２，１３同士を重ね合わせて一対の端板として、上端部に開口１０１を有する収納箱１００が形成される。
このように一対の机１０を組み合わせた状態では、上述したように、固定バンド３の先端部４に硬質プレート３４が設けられているため、先端部４が途中で折り曲がるのが抑制される。これにより、面ファスナー３２，３３の結合力が弱くなった場合でも、固定バンド３の先端部４は、一方の机１０の内側に折り曲げられた状態で保持される。
【００２９】
収納箱１００の内側の空間Ｒには、上端部の開口１０１から椅子２０が収納される。椅子２０は、図７及び図８に示されるように、上下３段に積み重ねるとともに、４列に並べて、収納箱１００の内側の空間Ｒ内に収容可能に構成されている。これにより、収納装置１より、一対の机１０と１２脚の椅子２０とがコンパクトに収納される。
椅子２０は、図８及び図９に示すように、収納箱１００の内側の下部に横並びに配置された連結板１４，１４を跨ぐように収納される。そして、各連結板１４と各机１０の裏面１１Ａとの間の間隙３５には、座面２１の側方から延びる左右の脚２２が挿入される。つまり、椅子２０は、脚２２間に連結板１４，１４を挟んだ状態で、座面２１が連結板１４，１４に載置されて収納箱１００の内側に収納される。
【００３０】
この構成によれば、収納箱１００の内側の下部に横並びに配置された連結板１４，１４を跨ぐように椅子２０を収納したため、椅子２０により、壁面Ｗに固定された一方の机１０に他方の机１０を連結させることができる。これにより、壁面Ｗに固定された状態の収納箱１００に乳幼児が掴まる等して外力が加えられても、収納箱１００が壁面Ｗから離れたり、不意に分解されて倒れたりすることがなく、安全性を向上することができる。
【００３１】
これらの構成によれば、収納箱１００は、固定バンド３の先端部４に設けられた硬質プレート３４により、外部からの力が加わった際に壁面Ｗから離脱することが無いように、壁面Ｗに対して固定することができる。また、収納箱１００は、段差部１８にスリット１９を係合させて一対の机１０を組み合わせることで、机１０同士の長さ方向へのずれを規制することができる。また、収納箱１００の内側に横並びに配置された連結板１４，１４を跨ぐように椅子２０を収納したため、椅子２０により一対の机１０を連結することができる。つまり、収納箱１００は、外力が加えられた場合でも、壁面Ｗから離れることなく、且つ、不意に分解されたり、倒れたりすることがない。よって、収納装置１により、限られたスペースを有効に利用して、一対の机１０と、複数の椅子２０と、をコンパクトにかつ安全に収納することができる。
【００３２】
以上説明したように、本発明を適用した実施形態に係る椅子２０の収納装置１によれば、一対の机１０の天板１１を一対の側板とし、机１０の脚１３の先端１３Ａを相対する机１０の天板１１の裏面１１Ａに対向させて各脚１２，１３を一対の端板として、上端部を開口する椅子２０の収納箱１００を形成し、この収納箱１００の内側の下部に机１０の脚１２，１３同士を連結する連結板１４を横並びに位置させて、一対の連結板１４を跨ぐように椅子２０を収納し、かつ複数の椅子２０を上下に積み重ねて収納する。この構成によれば、一対の机１０を組み合わせて収納箱１００を形成し、当該収納箱１００の内側に複数の椅子２０を収納することができる。これにより、地震が発生した場合や、乳幼児が掴まった場合等で外力が加えられた場合でも、上下に複数積み重ねられた椅子２０が倒れるのを防止することができ、安全に椅子を収納することができる。また、椅子２０を、机１０の脚１２，１３同士を連結する連結板１４を跨ぐように収納して、机１０を連結することができるため、収納装置１が、外力により不意に分解されることが無く、安全に椅子２０を収納することができる。
【００３３】
また、椅子２０の収納装置１の各机１０が天板１１の両端部に板状の脚１２，１３を有する同一形状を備え、板状の脚１２，１３同士が重なり合って収納箱１００の端板が形成されている。この構成によれば、同一形状の一対の机１０を組み合わせて収納箱１００を形成することができるため、商品及び部品の管理を容易に行うことができる。
【００３４】
また、椅子２０の収納装置１は、机１０の一方の脚１２と連結板１４との間に段差部１８を設け、机１０の他方の脚１３に、机１０の脚１３の先端１３Ａを相対する机１０の天板１１の裏面１１Ａに対向させた際に段差部１８に係合するスリット１９を設けた。この構成によれば、一方の机１０の段差部１８に、他方の机１０のスリット１９を係合させることで、一対の机１０が、長さ方向へずれるのを規制することができる。また、２台の机１０を重ね合せたよりも、狭い壁面Ｗからの範囲内に２台の机１０を収納することができ、２台の机１０をコンパクトに収納することができる。
【００３５】
また、椅子２０の収納装置１は、一方の机１０の天板１１を壁面Ｗに対向させて配置し、机１０を壁面Ｗに取り付けられた固定バンド３で壁面Ｗに固定し、固定バンド３の先端部４に、固定バンド３を机１０の脚１２，１３の内側に着脱自在に固定する面ファスナー３３と、先端部４の変形を抑える硬質プレート３４と、を設けた。この構成によれば、各脚１２，１３の内側に、固定バンド３の先端部４４に設けられた面ファスナー３３を脱着自在に貼り付けることで、簡単に机１０を壁面Ｗに固定することができる。また、壁面Ｗに固定された一方の机１０に他方の机１０を組み合わせて収納箱１００を形成した際には、硬質プレート３４により、収納箱１００に外力が加えられた場合や、面ファスナー３３の結合強度が弱まった場合でも、固定バンド３の先端部４が、収納箱１００の端板を形成する重なり合った脚１２，１３間をすり抜けることがない。
【００３６】
以上、実施形態に基づいて本発明を説明したが、本発明はこれに限定されるものではない。本実施形態では、椅子２０は、座面２１の両側方に側板を有する姿勢の安定しない乳児用の椅子である構成としたが、これに限らず、側板を有さない幼児用の椅子である構成であっても良い。また、本実施形態では、椅子２０は、２本の前脚と２本の後脚をを備える構成としたがこれに限らず、前後の脚が一体化された、左右一対の脚を備える構成であっても良い。また、本実施形態では、椅子２０は、座面２１を連結板１４に略平行に上下に複数重ねる構成としたがこれに限らず、背板と座面２１とによって形成されるくの字の頂点が、連結板１４に略垂直に上下に並ぶように複数重ねる構成であっても良い。
【符号の説明】
【００３７】
１  収納装置
３  固定バンド
４  先端部
１０  机
１１  天板
１１Ａ  裏面
１２  脚
１２Ａ  先端
１３  脚
１３Ａ  先端
１４  連結板
１８  段差部
１９  スリット
２０  椅子
２２  脚
３３  面ファスナー（固定部材）
３４  硬質プレート（硬質部材）
３５  間隙
１００  収納箱
１０１  開口
Ｗ  壁面
【図１】
2014014582.tif 000003
【図２】
2014014582.tif 000004
【図３】
2014014582.tif 000005
【図４】
2014014582.tif 000006
【図５】
2014014582.tif 000007
【図６】
2014014582.tif 000008
【図７】
2014014582.tif 000009
【図８】
2014014582.tif 000010
【図９】
2014014582.tif 000011
【図１０】
2014014582.tif 000012